(57)【特許請求の範囲】
【請求項１】
光ファイバと、
先端部分に大径部を有しそれ以外の部分が小径部とされ、内孔内に前記光ファイバを保持するフェルールと、
長手方向の一端から他端にかけて、貫通孔および該貫通孔と外壁面との間にスリットを有し、前記フェルールの少なくとも一部を前記一端側の貫通孔内に収容する前記一端側において、内壁より突出する第１段差部、および外壁より突出する第２段差部を有するとともに、前記第１段差部を前記フェルールの前記小径部に当接させ、前記大径部を前記貫通孔の前記第１段差部の他端側に収容して前記フェルールを保持する割スリーブと、
第１主面に凹部を有し、前記割スリーブの前記一端から外方向に突出した前記小径部が、前記第１主面に設けられた前記凹部の底面から第２主面まで貫通する貫通孔に挿入され、前記割スリーブの一端面が前記凹部の底面に当接するように前記フェルールおよび前記割スリーブを保持するホルダと、
を備えた光レセプタクル。
【請求項２】
前記第１段差部は、前記割スリーブの内周面と一体的に形成された突起部であり、前記小径部は、前記フェルールの外周面に形成された溝部であることを特徴とする請求項１に記載の光レセプタクル。
【請求項３】
前記第１段差部は、前記割スリーブの周方向に亘って設けられ、前記小径部は、前記フェルール周方向に亘って設けられていることを特徴とする請求項１に記載の光レセプタクル。
【請求項４】
前記割スリーブの前記一端側から前記他端側に向けて形成された前記第１段差部および前記第２段差部の終端の位置は、互いに異なっていることを特徴とする請求項１〜３のいずれかに記載の光レセプタクル。
【請求項５】
前記第２段差部の前記終端部は、前記第１段差部の前記終端部よりも前記割スリーブの前記他端側に位置していることを特徴とする請求項４に記載の光レセプタクル。
【請求項６】
前記第２段差部の終端部は、前記割スリーブの前記他端側における前記フェルールの端面よりも、前記割スリーブの他端側に位置していることを特徴とする請求項４または請求項５に記載の光レセプタクル。 
【請求項７】
前記フェルールは、前記小径部の外周面に、前記割スリーブのスリット内に突出する突条部を有することを特徴とする請求項１〜６のいずれかに記載の光レセプタクル。
【請求項８】
請求項１〜７のいずれかに記載の光レセプタクルと、
前記光ファイバに向けて光を出射する、又は、前記光ファイバを介して光を受ける光素子と、
前記光レセプタクルに接続され、かつ前記光素子を収容する筐体と、
を備える光モジュール。
【発明の詳細な説明】
【技術分野】
【０００１】
本発明は、光通信用モジュール等に使用される光レセプタクルに関するものである。
【背景技術】
【０００２】
近年、情報通信が高速化・大容量化の傾向にあり、それに対応するために光通信技術が利用されている。一般に光通信においては、電気信号を光信号に変換し、光信号を光ファイバを用いて送信し、受信した光信号を電気信号に変換する。電気信号と光信号との変換は、半導体レーザやフォトダイオードなどの光素子により行われ、光素子と光ファイバ間を光学的に結合させるために光レセプタクルが用いられている。
【０００３】
また、情報通信が高速化・大容量化する中で、光信号の伝達損失を低減することに注力されてきた。例えば、特許文献１では、図６に示すように、中空筒状で、径方向に弾性伸縮しやすいフェルール挿入用内孔を有する弾性スリーブと、該内孔の一端（基端）に挿入された内蔵フェルールと、弾性スリーブ基端部外周に圧入された把持リングと、を具備してなる光レセプタクルが開示されている。このような光レセプタクルは、光レセプタクルへのプラグフェルールの挿入長さを長くできるので、光ファイバの接続点における光の挿入損失を少なくできるとされている。
【特許文献１】特開平１０−３３２９８８号公報
【発明の開示】
【発明が解決しようとする課題】
【０００４】
しかしながら、特許文献１に記載の光レセプタクルでは、プラグフェルールを当該光レセプタクルに挿入し、横方向荷重を掛けてこれらを歪曲させた際に、プラグフェルールを直接収容する弾性スリーブが、上記横方向荷重により弾性スリーブの端部を支点、プラグフェルールの先端を作用点として径方向に拡張されるため、当接するプラグフェルールと光レセプタクルのフェルールの光軸がずれて、光の挿入損失が生じるという問題を有していた。また、上記横方向荷重によるスリーブの拡径を低減すべく、把持リングを大きく形成すると、光レセプタクルが不要に大型化するという問題があった。
【０００５】
したがって、本発明は叙上に鑑みてなされたものであり、その目的とするところは、横方向荷重に対しても光の挿入損失を低減できる信頼性の高い光レセプタクル及び光モジュールを提供することにある。
【課題を解決するための手段】
【０００６】
上記目的を達成するため、本発明は、フェルールに保持された光ファイバが光学的に接続される光レセプタクルであって、光ファイバと、先端部分に大径部を有しそれ以外の部分が小径部とされ、内孔内に前記光ファイバを保持するフェルールと、長手方向にスリットを有し、前記フェルールの少なくとも一部を一端側の貫通孔内に収容する前記一端側において、内壁より突出する第１段差部、および外壁より突出する第２段差部を有するとともに、前記第１段差部を前記小径部に当接させ、前記大径部を前記貫通孔の前記第１段差部の他端側に収容して前記フェルールを保持する割スリーブと、第１主面に凹部を有し、前記割スリーブの前記一端側から外方向に突出した前記小径部が、前記第一主面に設けられた前記凹部に挿入され、前記割スリーブの一端面が前記凹部の底面に当接するように前記割スリーブを保持するホルダと、を備える。
【０００７】
また、本発明において、前記第１段差部は、前記割スリーブの内周面と一体的に形成された突起部であり、前記小径部は、前記フェルールの外周面に形成された溝部であることが好ましい。
【０００８】
また、本発明において、前記スリーブの前記一端側から前記他端側に向けて形成された
前記第１段差部および前記第２段差部の終端の位置は、互いに異なっていることが好ましい。
【０００９】
また、本発明において、前記第２段差部の前記終端部は、前記第１段差部の前記終端部よりも前記割スリーブの前記他端側に位置していることが好ましい。
【００１０】
また、本発明において、前記第２段差部の前記終端部は、前記割スリーブの他端側における前記フェルールの端面よりも、前記割スリーブの他端側に位置していることが好ましい。
【００１１】
また、本発明において、前記フェルールは、前記小径部の外周面に、前記割スリーブのスリット内に突出する突条部を有することが好ましい。
【００１２】
本発明の光モジュールは、本発明の光レセプタクルと、前記光ファイバに向けて光を出射する、又は、前記光ファイバを介して光を受ける光素子と、前記光レセプタクルに接続され、かつ前記光素子を収容する筐体と、を備えることを特徴とする。
【発明の効果】
【００１３】
本発明によれば、プラグフェルールが挿入される割スリーブは、フェルールが挿入された一端部において、割スリーブの内壁に、内径が他の部位に比べて小さい第１段差部を有し、スリーブの外壁に、外径が他の部位に比べて大きい第２段差部を有していることから、フェルールが挿入された一端部の剛性を高めることができるため、割スリーブの径方向への変形（拡張）が抑制される。
【００１４】
したがって、本発明によれば、横方向から荷重がかかっても、光の挿入損失を低減することができる信頼性の高い光レセプタクル及び光モジュールを提供することができる。
【発明を実施するための最良の形態】
【００１５】
以下、図面を参照しながら、本発明に係る光レセプタクル及び光モジュールに関して詳細に説明する。以下に示す実施の形態は、本発明を例示するものであって、限定するものではない。なお、各図において、共通する部材については同一の符号を付し重複した説明を省略する。
（実施の形態１）
本発明に係る実施の形態１の光レセプタクル１は、図１に示すように、一端２０ａの内壁及び外壁のそれぞれに第１及び第２段差部２０ｃ、２０ｄを備える割スリーブ２０に、光ファイバ１２を保持するフェルール１０の一端が挿入されることにより構成されており、割スリーブ２０の貫通孔２１内に、フェルール５１により固定されたプラグ５０が挿入されることにより、フェルール１０に保持される光ファイバ１２と、プラグ５０の光ファイバ５２とが光学的に接続される。
【００１６】
図１は、本発明の実施の形態１に係る光レセプタクル１を示す断面図である。図１に示すように、この実施の形態１の光レセプタクル１において、割スリーブ２０は、光コネクタのプラグ５０の外径とほぼ同じ径の貫通孔を有する筒体で形成されている。すなわち、光コネクタのプラグ５０は、光ファイバ５２とその光ファイバ５２をその内孔で保持するフェルール５１で構成されている。一方で、スリーブ２０の貫通孔２１の内径は、フェルール５１の外径にほぼ等しくなるように設定される。
【００１７】
本発明の実施の形態１に係る光レセプタクル１において、割スリーブ２０は、一端２０ａから他端２０ｂまでスリット（不図示）が形成されるとともに、図１に示すように、割スリーブ２０の一端２０ａ側の内壁と外壁にそれぞれ第１段差部２０ｃと第２段差部２０ｄが設けられる。第１段差部２０ｃは、内壁から突出するように形成されており、第２段差部２０ｄは、外壁から突出するように形成されている。また、第１段差部２０ｃは、割スリーブの断面においてその内壁を周回するように設けられる。第１段差部２０ｃを割スリーブ２０の内壁に周回させて設けた場合、第１段差部２０ｃに接する内接円の径は、割スリーブ２０の内径より小さい。一方、第２段差部２０ｄは、同じく割スリーブ２０の断面において、その外壁を周回するように設けられる。第２段差部２０ｄを割スリーブ２０の外壁に周回させて設けた場合、第２段差部２０ｄに接する外接円の径は、割スリーブ２０の外径より大きい。このように、光レセプタクル１では、第１段差部２０ｃを設けるとともに、第２段差部２０ｄを設けることにより、割スリーブ２０の径外方向への拡張を効果的に防止することができ、ウイグル特性を効果的に改善することができる。
【００１８】
また、第１段差部２０ｃの厚さは、上記径外方向への拡張を防止できる限り、如何なる厚さでもよい。しかしながら、割スリーブ２０内に挿入されるフェルール１０は、図１に示すように、第１段差部２０ｃが厚くなるにしたがって細くなり、フェルール１０の強度が落ちる。そのため、第１段差部２０ｃの厚さは、フェルール１０が適度な強度を備えるような厚さであることが肝要である。また、第２段差部２０ｄの厚さに関しても、同様に、割スリーブ２０の径外方向への拡張を防止できる限り、如何なる厚さでもよい。しかしながら、割スリーブ２０の外周には、スリーブケース３０が配置されるが、第２段差部２０ｄが厚すぎると、スリーブケース３０が大きくなって、コンパクトな光レセプタクルとすることができない。そのため、第２段差部２０ｄの厚さは、スリーブケース３０をコンパクトなサイズとすることができるような厚さであることが肝要である。第２段差部２０ｄの端面は、割スリーブ２０の一端２０ａの端面と一致する、すなわち第２段差部２０ｄが割スリーブ２０の一端２０ａから始まることが好ましいが、上述の割スリーブの拡張を防止しうる限り、第２段差部２０ｄの端面は、割スリーブ２０の一端２０ａの端面と一致していない、すなわち第２段差部２０ｄが割スリーブ２０の途中から始まっていても良い。プラグ５０が挿入される割スリーブ２０の他端２０ｂは、ある程度拡張する必要があるため、第２段差部２０ｄは、割スリーブ２０の他端２０ｂ付近まで延びていない方が好ましい。また、第１段差部２０ｃについても、上記同様、その端面は、割スリーブ２０の一端２０ａの端面と一致することが好ましい。しかしながら、割スリーブの拡張を防止しうる限り、第１段差部２０ｃの端面は、割スリーブ２０の一端２０ａの端面と一致せず、第１段差部２０ｃが、割スリーブ２０の途中から始まっていても良い。
【００１９】
第１段差部２０ｃおよび第２段差部２０ｄは、図１に示すように、スリーブ２０の軸方向において、スリーブ２０の他端２０ｂ側における終端部の位置が互いに異なっていることが好ましい。このように、第１段差部の終端部２０ｃ’および第２段差部の終端部２０ｄ’の位置を異ならせることにより、割スリーブ２０が外側または内側から荷重を受けた場合、各段差部に集中する応力を割スリーブ２０の軸方向で分散させることができるため、割スリーブ２０の破損を低減するという観点から好適である。また、第２段差部の終端部２０ｄ’は、第１段差部の終端部２０ｃ’よりも割スリーブ２０の他端２０ｂ側に位置していることが好ましい。このように、割スリーブ２０において、第２段差部の終端部２０ｄ’を第１段差部の終端部２０ｃ’よりも割スリーブ２０の他端２０ｂ側に配置することにより、割スリーブ２０の軸方向（割スリーブの長手方向）において、第２段差部２０ｄの長さに比べて、第１段差部２０ｃの長さが短くなる。このような形態であれば、第１段差部２０ｃの長さを短くすることにより、フェルール１０の小径部１０ｂの範囲を狭くすることができるため、割スリーブ２０の一端２０ａ側における剛性を維持しつつ、フェルール１０の強度劣化を低減することができる。
【００２０】
また、本発明の実施の形態１に係る光レセプタクル１において、図２に示すように、第２段差部の終端部２０ｄ’は、割スリーブの他端２０ｂ側におけるフェルール１０の端面よりも、割スリーブ２０の他端２０ｂ側に位置されるほうが好ましい。このような構成とすることにより、最も拡張作用を受けやすい箇所の強度を向上させることができる。通常、プラグ５０は光レセプタクル１に挿入されると、フェルール１０の端面と当接されるが、この状態で横方向荷重を受けると、プラグ５０の側面とスリーブケース３０の開口部３０ａとの接点を支点、プラグ５０の先端を作用点として割スリーブ２０が径方向外側に拡張される。すなわち、プラグ５０が当接されるフェルール１０の端面付近が最も拡張作用を受けやすい。ここで、上記のように、割スリーブ２０の第２段差部２０ｄが、フェルール１０の端面よりも、割スリーブ２０の他端２０ｂ側まで延びるようにすれば、拡張作用を受けやすい、フェルール１０の端面付近において、割スリーブ２０の強度が向上し、これによりウイグル特性がさらに改善される。
【００２１】
割スリーブ２０を構成する材料としては、酸化ジルコニウム（ジルコニア）、酸化アルミニウム（アルミナ）、ムライト、窒化ケイ素、炭化ケイ素および窒化アルミニウムなどの単体もしくはこれらを主成分として含むセラミックス、結晶化ガラスなどのガラスセラミックス、燐青銅、ベリリウム銅、黄銅、ステンレスなどの金属、エポキシや液晶ポリマなどのプラスチックスなどが挙げられ、中でも対候性や靭性に優れたジルコニア系セラミックス（ジルコニアを主成分とするセラミックス）が好適である。ジルコニア系セラミックスの中でも、とりわけ、酸化ジルコニウム（ＺｒＯ２）を主成分とし、Ｙ２Ｏ３、ＣａＯ、ＭｇＯ、ＣｅＯ２、Ｄｙ２Ｏ３などからなる群より選択される少なくとも一種を安定化剤として含む部分安定化ジルコニアセラミックス（正方晶の結晶が主体）が、耐摩耗性および弾性変形性の観点からより好ましい材料として挙げられる。
【００２２】
また、実施の形態１では、図１に示すように、割スリーブ２０の一端２０ａに配置されるフェルール１０が、その先端部分に大径部１０ａを有するとともにそれ以外の部分が小径部１０ｂとなっている。大径部１０ａと小径部１０ｂの半径の差は、第１段差部２０ｃの厚さと略同じであることが好ましいが、それより若干大きくてもよい。大径部１０ａと小径部１０ｂの半径の差が第１段差部２０ｃの厚さと略同じであることにより、割スリーブ２０は安定的にフェルール１０を保持することができる。
【００２３】
また、図１に示すように、フェルール１０を割スリーブ２０の一端２０ａに配置する際、先端部分に大径部１０ａが形成されそれ以外の部分が小径部１０ｂとなっているフェルール１０を割スリーブ２０の他端２０ｂから挿入し、大径部１０ａを第１段差部２０ｃに当接させる。この際、小径部１０ｂ側から挿入することが必要である。このように挿入すると、小径部１０ｂの少なくとも一部は、割スリーブ２０の一端２０ｃから外方向に突出し、この突出した部分に、ホルダ４０が嵌合される。
【００２４】
実施の形態１に係るホルダ４０は、図１に示すように、対向する第１の主面４０ａと第２の主面４０ｂとを有する、例えば、円柱形状のホルダであり、例えば、ステンレス、銅、鉄、ニッケルなどの金属からなる。また、実施の形態１のホルダ４０では、その第１の主面４０ａ側に、スリーブケース３０の一端が圧入される溝形状の凹部をリング状に設けることにより、挿入部４１が形成されるとともに、挿入部４１の略中央部に底面４２から第２の主面４０ｂまで貫通する貫通孔４３が形成されている。ホルダ４０の貫通孔４３には、上述のように、フェルール１０の小径部１０ｂが挿入されるとともに、割スリーブ２０の一端２０ａの端面とホルダ４０の挿入部４１の底面４２とが当接されている。
【００２５】
また、図１に示すように、ホルダ４０の挿入部４１にはスリーブケース３０が、例えば圧入により固定される。
【００２６】
スリーブケース３０は、図１に示すように、スリーブ２０を収容するための略円筒形状の筒状部材であり、プラグ５０が挿入される開口部３０ａと、ホルダ４０に接合するための接合部３０ｂとを有する。スリーブケース３０におけるスリーブ２０を収容するための空間の径は、スリーブ２０の外径より若干（例えば２００μｍ）大きく構成されている。また、開口部３０ａは、プラグ５０の挿入時に該プラグ５０を案内するための部位であり、テーパ状に構成されている。開口部３０ａにおける開口端径はプラグ５０の外径より若干（例えば０．２ｍｍ）大きく構成されている。接合部３０ｂは、上述したように、ホルダ４０に接合するための部位である。
【００２７】
上述のようにホルダ４０にスリーブケース３０を挿入すると、割スリーブ２０は、スリーブケース３０の内部に配置される。このとき、スリーブケース３０の中心軸と割スリーブ２０の中心軸とが一致していることが好ましい。スリーブケース３０におけるスリーブ２０を収容するための空間と開口部３０ａとは連通しており、ホルダ４０とスリーブホルダ３０と割スリーブ２０とフェルール１０とを組み付けた際、スリーブケース３０の開口部３０ａと割スリーブ２０とにより、上述したように、プラグ５０が収容される空間が形成される。割スリーブ２０の他端２０ｂ側の内径は、スリーブケース３０の開口部３０ａの内径と略同じか、若しくは若干小さく構成されている。
【００２８】
スリーブケース３０を構成する材料としては、合成樹脂（熱可塑性樹脂および熱硬化性樹脂など）、金属（ステンレス、銅、鉄およびニッケルなど）、セラミックス（酸化アルミニウム（アルミナ）および酸化ジルコニウム（ジルコニア）など）、ガラス（石英など）などが挙げられる。この中でもホルダ４０との固定を考慮し、熱膨張係数を合わせて信頼性を高めるため、ホルダ４０と同様、ステンレスを用いるのが好ましい。
【００２９】
また、本発明の実施の形態１に係る光レセプタクル１において、フェルール１０には、図３に示すように、小径部１０ｂの外周面に、割スリーブ２０のスリット（不図示）内に突出する突条部５０を設けてもよい。このような構成とすることにより、フェルール１０の突条部５０が割スリーブ２０のスリット内に嵌合し、割スリーブ２０に対するフェルール１０の回転が防止される。突条部５０の高さは光レセプタクル１に収納出来る範囲で任意に設定可能であり、フェルール１０の外径より大きくして飛び出しても良いし、あるいはフェルール１０の外径より小さくしても良いが、スリーブをより安定に固定するという観点から、図３に示すように、フェルール１０の外径とほぼ同一の高さとするのが望ましい。
【００３０】
以上のように構成された実施の形態１の光レセプタクル１では、プラグ５０が挿入される割スリーブ２０は、フェルール１０が挿入された一端２０ａにおいて、割スリーブ２０の内壁に、内径が他の部位に比べて小さい第１段差部２０ｃを有し、割スリーブ２０の外壁に、外径が他の部位に比べて大きい第２段差部２０ｄを有し、割スリーブ２０は高い強度を有するため、割スリーブ２０の径外方向への拡張が抑制され、ウイグル特性が改善される。
【００３１】
なお、実施の形態１の光レセプタクル１では、第１段差部２０ｃが、割スリーブの断面においてその内壁を周回するように設けられているが、本発明ではこのような形態に限定されることなく、たとえば第１段差部２０ｃを割スリーブの内周面と一体的に形成された突起部とし、小径部１０ｂは、フェルール１０の外周面に形成された溝部としてもよい。このような形態であれば、前記突起部を前記溝部に嵌合させることにより、フェルールの保持力を高めることができるとともに、ウイグル特性を改善できる。
【００３２】
図４は、本発明に係る光レセプタクル１を備えた光モジュール３の断面図である。この光モジュール３は、光レセプタクル１および光素子ユニット６０を備えている。光素子ユニット６０は、光素子６１と、レンズ６２と、筐体６３とを備える。
【００３３】
光素子６１は、フェルール１０に挿入された光ファイバ１２に向けて光を出射するための発光素子、または、光ファイバ１２を介して導出された光を受光するための受光素子である。発光素子としては、半導体レーザやＬＥＤなどの発光ダイオードなどが挙げられ、受光素子としては、受信用のＰＤ（フォトダイオード）などが挙げられる。
【００３４】
レンズ６２は、光素子６１が発光素子の場合は該発光素子から出射された光を集光して光ファイバ１２に導入する機能を担い、光素子６１が受光素子の場合は光ファイバ１２から出射された光を集光して該受光素子に導入する機能を担う部材である。
【００３５】
筐体６３は、光素子６１およびレンズ６２を収容するための部材であり、接合用リング６４を介して光レセプタクル１に例えば溶接により接合される。筐体６３を構成する材料としては、ステンレス、銅、鉄、ニッケルなどの溶接可能なものが挙げられ、中でも耐腐食性や溶接性の観点からステンレスが好適である。
【００３６】
以上のように構成された光モジュール３では、プラグ５０が挿入される割スリーブ２０が、その内壁に、内径が他の部位に比べて小さい第１段差部２０ｃを有し、割スリーブ２０の外壁に、外径が他の部位に比べて大きい第２段差部２０ｄを有し、割スリーブ２０は高い強度を有するため、割スリーブ２０の径外方向への拡張が抑制され、ウイグル特性が改善される。従って、本実施形態によれば、横方向から荷重がかかっても、光の挿入損失を低減できる。
（実施の形態２）
本発明に係る実施の形態２の光レセプタクル１は、実施の形態１のように割スリーブ２０の内壁に周回するように第１段差部２０ｃが設けられるのではなく、割スリーブ２０の内壁にその長手方向に方形状の第１段差部２１が複数設けられている。
【００３７】
図５ａは、本発明の実施の形態２に係る光レセプタクル１を示す断面図であり、図５ｂは、図５ａの断面に直交するＡ−Ａについての断面図である。図５ｂに示すように、割スリーブ２０の内壁にその長手方向に方形状の第１段差部２１が４つ設けられている。第１段差部２１の個数は、特に限定されるものではなく、割スリーブ２０の径外方向への拡張を効果的に防止しうる限りいくつであってもよい。また第１段差部２１の形状は、方形状に限定されるものではなく、円弧形状や三角形状等であってもよい。
【００３８】
また、フェルール１０には、図５ｂに示すように、この方形状の第１段差部２１と略同じ形状の溝部５１が形成され、割スリーブ２０にフェルール１０を挿入した際、割スリーブ２０の方形状の第１段差部２１はフェルール１０の第２段差部である溝部５１に嵌合する。このように割スリーブ２０の方形状の第１段差部２１がフェルール１０の溝部５１に嵌合することにより、割スリーブ２０の径外方向への拡張を抑制し、ウイグル特性を改善することができるとともに、フェルール１０の割スリーブ２０に対する回転を防止することができる。
【００３９】
実施の形態２において、その他の構成は実施の形態１に係る光レセプタクル１の構成と同様である。
【００４０】
以上のように構成された実施の形態２の光レセプタクル１では、割スリーブ２０は、その内壁に方形状の第１段差部２１を有し、割スリーブ２０は高い強度を有するため、割スリーブ２０の径外方向への拡張が抑制され、ウイグル特性が改善される。また、フェルール１０には、方形状の第１段差部２１と略同じ形状の溝部５１が形成され、割スリーブ２０の方形状の第１段差部２１はフェルール１０の溝部５１に嵌合するため、フェルール１０の割スリーブ２０に対する回転を防止することができる。
【図面の簡単な説明】
【００４１】
【図１】本発明の実施形態１に係る光レセプタクルの断面図である。
【図２】本発明の実施形態１に係る光レセプタクルの変形例の断面図である。
【図３】本発明の実施形態１に係る光レセプタクルにおける、フェルールの変形例の斜視図である。
【図４】図１に示す光レセプタクルを採用した光モジュールを表す断面図である。
【図５】（ａ）は、本発明の実施形態２に係る光レセプタクルを示すものであり、（ａ）は割スリーブ及びフェルールの部分拡大断面図であり、（ｂ）は、（ａ）の断面に直交するＡ−Ａについての断面図である。
【図６】従来の光レセプタクルを表す断面図である。
【符号の説明】
【００４２】
１  光レセプタクル
３  光モジュール
１０  フェルール
１０ａ  大径部
１０ｂ  小径部
１２  光ファイバ
２０  割スリーブ
２０ａ  割スリーブの一端
２０ｂ  割スリーブの他端
２０ｃ、２１  第１段差部
２０ｃ’  第１段差部の終端部
２０ｄ  第２段差部
２０ｄ’  第２段差部の終端部
３０  スリーブケース
４０  ホルダ
４０ａ  ホルダの第１の主面
４０ｂ  ホルダの第２の主面
４１  圧入部
４２  圧入部の底面
４３  貫通孔
５０  プラグ
５１  フェルール
５２  光ファイバ
６０  光素子ユニット
６１  光素子
６２  レンズ
６３  筐体
【図１】
0004986905.tif 000002
【図２】
0004986905.tif 000003
【図３】
0004986905.tif 000004
【図４】
0004986905.tif 000005
【図５】
0004986905.tif 000006
【図６】
0004986905.tif 000007